(57)【要約】      （修正有）【課題】ポータブル性に優れた電気スタンドを提供する。【解決手段】電気スタンド１は、スタンド部２と、スタンド部２のスリット部３に取付けられ、且つ、光源部を備えたライト部４から構成されている。スタンド部２は、三角錐の少なくとも２面の側面２０，２１からなり、スリット部３は、側面２０，２１が作る稜線２２に交差するように形成されている。スリット部３は、稜線２２を交差することにより形成される一対の２辺３０、３１の上下の縁部からなるスリット縁部と、そのスリット縁部の各端部に形成されるスリット両端部３４、３５を備えている。そして、ライト部４は、スリット部３のスリット縁部及びスリット両端部３４、３５に当接され、且つ、スリット部３に抜差し自在に支持されている。【選択図】図１
2015103481.tif 000002
【特許請求の範囲】
【請求項１】
光源部を備えたライト部と、このライト部を取り付けるスタンド部を備えた電気スタンドにおいて、
前記スタンド部は、スリット部を備えるとともに、
該スリット部は、少なくとも一対の２辺からなるスリット縁部と、そのスリット縁部の端部に形成されるスリット両端部を備え、
該スリット部は、前記ライト部を抜差し自在に取り付けると共に、スリット両端部及びスリット縁部により、そのライト部を支持することを特徴とする電気スタンド。
【請求項２】
前記スタンド部は、少なくとも２面の側面を備えていることを特徴とする請求項１に記載の電気スタンド。
【請求項３】
前記スタンド部は、三角錐からなることを特徴とする請求項２に記載の電気スタンド。
【請求項４】
前記スタンド部の前記三角錐の２面を重ねて折畳むことができることを特徴とする請求項３に記載の電気スタンド。
【請求項５】
前記スタンド部は、底面を備えていることを特徴とする請求項２又は３に記載の電気スタンド。
【請求項６】
前記スタンド部は、前記２面が形成する角度を維持させる開き止めフックを備え、且つ、ウエイトを備えていることを特徴とする請求項２乃至４に記載の電気スタンド。
【請求項７】
前記ライト部の光源部は、基板にＬＥＤベアチップを実装した面発光体からなることを特徴とする請求項１に記載の電気スタンド。
【発明の詳細な説明】
【技術分野】
【０００１】
本願発明は、発光ダイオードを光源として用いた電気スタンドに関する。
【背景技術】
【０００２】
電気スタンドの光源としては、従来より白熱電球、蛍光ランプが普及しているが、現在では光源に発光ダイオードを用いた電気スタンドの開発・販売が盛んである。
【０００３】
また、昨今の節電事情から、部屋全体の照度を落とした中での補助照明が要望されており、例えば、ノートパソコンを移動させる場合や、読書灯とする場合に、補助照明としての電気スタンドのポータブル性（可搬性）が求められる。
【０００４】
また、電気スタンドは通常、屋内で使用されるものであるが、屋外でも手軽に利用できるにようにするためには、電気スタンドのポータブル性が重視される。
【０００５】
かかる電気スタンドのポータブル性を重視する場合に、光源部が設けられたライト部と、このライト部を支えるスタンド部とを切り離して持ち運びができ、電気スタンドとして使用する時にスタンド部にライト部をセットできるようにする構成が考えられる。
【０００６】
例えば特許文献１では、通常の使用の際には、載置部２０及び支持部３０からなるスタンド部に、ライト部としての灯体４０を支持した状態で、光源部４１を点灯させることにより、通常の電気スタンドとして使用したり、あるいは灯体４０を支持部３０から取り外して懐中電灯として使用することができる照明装置が開示されている。
【０００７】
また、特許文献２では、ライト部として灯具１（光源部）を備えたブラケットと、スタンド部としてコンセント７を備えたスタンド台を備えた電気スタンドが開示され、自由に灯具を交換しうる電気スタンドを提供する旨が記載されている。
【０００８】
さらに、特許文献３では、ライト部として灯具（光源部）６を備えたアーム５と、このアーム５の基部端を嵌合させる、スタンド部に対応する継手３を備えたアーム継手装置が開示されている。
【先行技術文献】
【特許文献】
【０００９】
【特許文献１】特開２００７−３３５２８２号公報
【特許文献２】実開昭５０−７３２８４号公報
【特許文献３】実開昭５２−４９６３号公報
【発明の概要】
【発明が解決しようとする課題】
【００１０】
これらの各装置では、ライト部とスタンド部とが取外し可能に構成されているものの、各装置のスタンド部のポータブル性に欠けるという問題点を指摘することができる。
即ち、特許文献１の照明装置においては、スタンド部を構成する載置部２０は、照明装置１０を支える土台として、その安定を図るために、前記支持部３０よりも、サイズが大きめに形成されており、ポータブル性を満たすものではない。
また、前記載置部２０の内部には、照明装置１０の安定化を図るための錘２３及び電源装置２２が収容されており、重量が嵩むものである（以上、同文献段落００１５）。
また、前記支持部３０は載置部２０に固定され、それ以上、分割できず形状が複雑であることからも、ポータブル性を満たすものではない。
特許文献２の電気スタンドにおいても、同様の問題点を指摘できる。
さらに、特許文献３のアーム継手装置においては、そのスタンド部に対応する継手３は、支柱１に固定されるもので、継手３はポータブル性を満たすものではない。
以上のように、各特許文献に係る各装置では、ライト部とスタンド部とが分離可能なものの、持ち運びの容易性等については、限界がある。
【００１１】
そこで、本願発明では、ポータブル性に優れた電気スタンドを提供するため、ライト部とスタンド部とを分離可能なものにすると共に、スタント部及びライト部のサイズをコンパクト化する、スタンド部の重量を軽量化する、その形状をシンプル化する等の電気スタンドを提供することを目的とする。
【課題を解決するための手段】
【００１２】
上記課題を解決するため、本発明は、光源部を備えたライト部と、このライト部を取り付けるスタンド部を備えた電気スタンドにおいて、前記スタンド部は、スリット部を備えるとともに、該スリット部は、少なくとも一対の２辺からなるスリット縁部と、そのスリット縁部の端部に形成されるスリット両端部を備え、該スリット部は、前記ライト部を抜差し自在に取り付けると共に、スリット両端部及びスリット縁部により、そのライト部を支持することを特徴とする電気スタンドとした（請求項１の発明）。
【００１３】
ここで、「辺」とは鋭角、９０度又は鈍角を形成する直線の意であり、２辺の相会する直線により所定の角度が形成されることとなる。
少なくとも一対の２辺から構成されるので、各辺を極限的に小さくすることで、円弧が形成される場合も含まれる。
【００１４】
上記発明において、前記スタンド部は、少なくとも２面の側面を備えていることを特徴とする電気スタンドとした（請求項２の発明）。
ここで、側面とは、錐体の底面以外の面、柱体の底面及び頂面以外の面の意である。
本願発明によれば、前記スタンド部は、少なくとも２面の側面からなり、自立可能であり、そのサイズをコンパクトに、また軽量化も可能で、さらにその形状はシンプルなものにすることができる。
【００１５】
前記スタンド部は、三角錐からなることを特徴とする電気スタンドとした（請求項３の発明）。
本願発明によれば、前記スタンド部は、三角錐の少なくとも２面の側面からなり、自立可能で、サイズをコンパクトに、軽量化も可能で、その形状はシンプルなものにすることができる。
【００１６】
上記発明において、前記スタンド部の前記三角錐の２面を重ねて折畳むことができることを特徴とする電気スタンドとした（請求項４の発明）。
本願発明によれば、ポータブル性が高まる
【００１７】
上記発明において、前記スタンド部は、底面を備えていることを特徴とする電気スタンドとした（請求項５の発明）。
本願発明によれば、自立可能なスタンド部に関し、その自立の安定性に資することとなる。
【００１８】
上記発明において、前記スタンド部は、前記２面が形成する角度を維持させる開き止めフックを備え、且つ、ウエイトを備えていることを特徴とする電気スタンドとした（請求項６の発明）。
本願発明によれば、前記２面が形成する角度を維持させる開き止めフックを備え、また、ウエイトを備えているので、さらにスタンド部の自立の安定性に資することとなる。
【００１９】
上記発明において、前記ライト部の光源部は、基板にＬＥＤベアチップを実装した面発光体からなることを特徴とする電気スタンドとした（請求項７の発明）。
本願発明によれば、光源部及びこれを取付けるライト部を薄く構成することができ、スタンド部と共に、光源に発光ダイオードを用いることによって得られる特性を生かした電気スタンドを提供することができる。
【発明の効果】
【００２０】
本願発明によれば、ライト部とスタンド部とを分離可能なものにすると共に、スタンド部及びライト部のサイズをコンパクトにする、スタンド部の重量を軽量化する、その形状をシンプルなものにすることで、ポータブル性に優れた電気スタンドを提供することができる。
【図面の簡単な説明】
【００２１】
【図１】本願発明に係る電気スタンドの斜視図、
【図２】同電気スタンドの正面図、
【図３】同電気スタンドの側面図、
【図４】同電気スタンドの底面図、
【図５】同電気スタンドのスタンド部の展開状態の正面図、
【図６】同電気スタンドのスタンド部の折畳状態の正面図、
【図７】同電気スタンドのスタンド部の要部説明図、
【図８】同電気スタンドの変形例に係る斜視図、
【図９】同電気スタンドの組立前のキットの平面図である。
【発明を実施するための形態】
【００２２】
本発明に係る電気スタンドの構成例について、図面を参照しつつ説明する。
図１乃至図４に示したように、前記電気スタンド１は、スタンド部２と、このスタンド部２のスリット部３に取付けられ、且つ、光源部４０を備えたライト部４から構成されている。
前記スタンド部２は、三角錐の２面の側面２０，２１からなり、前記スリット部３は、前記側面２０，２１が作る稜線２２に交差するように形成されている。
前記スリット部３は、前記稜線２２を交差することにより形成される一対の２辺３０、３１及び３０’、３１’（即ち、４辺）の上下の縁部からなるスリット縁部３２、３３と、そのスリット縁部３２、３３の各端部に形成されるスリット両端部３４、３５を備えている。
そして、前記ライト部４は、前記スリット部３のスリット縁部３２、３３及びスリット両端部３４、３５に当接され、且つ、そのスリット部３に抜差し自在に支持されている。
その際、スリット縁部３２、３３がライト部４の高幅を支持すると共に、スリット両端部３４、３５がライト部４の横幅を支持するので、ライト部４の上下・左右方向のガタつきを抑えることができる。
【００２３】
よって、スタンド部２とライト部４とは、分離可能であり、また前記スタンド部２は、三角錐の２面の側面２０，２１から構成されているので、その形状は、コンパクトであり、軽量化することが可能で、且つ、シンプルなもので、ポータブル性に優れた電気スタンドを提供することができる。
【００２４】
前記スタンド部２は、三角錐から構成されているので、前記スリット部３に前記ライト部４を差し入れた場合に、前記側面２０，２１のみで安定的に自立させることができる。
また、三角錐を構成する３つの側面の内、１側面は開けられているので、前記ライト部４のスライドの妨げとはならない。
【００２５】
前記スタンド部２の各側面２０，２１に形成されている角度α、β（図２参照）及び各側面２０，２１によって形成される角度θ（図４参照）は、前記スリット部３に前記ライト部４を差し入れて、前記スリット縁部３２、３３及びスリット両端部３４、３５に支持した場合に、前記電気スタンド１として安定的に自立できる値であればよい。
例えば角度α、β及びθは、それぞれ７０、８０及び６０度とする。
【００２６】
前記スタンド部２の材質により、前記角度θが可変可能な場合、前記スタンド部２の各側面２０，２１を広げて、前記スリット部３に前記ライト部４を差入れ易いようにして、差入れた後、各側面２０，２１を狭め、前記ライト部４を前記スリット縁部３２、３３及びスリット両端部３４、３５に当接させるようにしてもよい。
【００２７】
前記スタンド部２の材質は、特に限定されるものではなく、合成樹脂、厚紙、木、金属等でもよい。
例えば、前記稜線２２に沿って２面２０，２１を重ねて折畳むことができる材質を用い、コンパクト化を図ることができる。
また、前記スタンド部２の材質によってはそのまま折畳むことができない場合には、各側面に折畳機構として例えばヒンジを介して前記側面２０，２１を繋げて、各面２０，２１を重ねて折畳むことができるようにしてもよい。
【００２８】
前記スリット部３は、図５のように、隣接する辺３０と辺３１の２辺と、辺３０’と辺３１’の２辺が一対となって、即ち、４辺からスリット縁部３２，３３が構成され、そのスリット縁部３２，３３の端部に形成されるスリット両端部３４、３５を備えている。
このスリット両端部３４、３５間の横幅Ｗは、前記スリット部３にライト部４を差し込んで、これをスリット両端部３４、３５間で挟み込むことができるように構成されている。
上下のスリット縁部３２、３３間の高幅Ｈは、前記スリット部３にライト部４を差し込むことができ、且つ、各スリット縁部３２、３３がライト部４に当接する幅である。
【００２９】
前記スリット部３の稜線２２に対する角度λは、前記スリット部３に配置される前記ライト部が除除に上方（図６の左方）に傾斜する値であり、電気スタンドとして、使い勝手の良い角度になっているが、このような角度に特に限定されるものではない。
なお、本実施例では、ライト部４の光が、スタンド部３から若干離れた場所を照射する角度としている。これは、光源が後述する発光ダイオード（ＬＥＤ）であり、光の直進性を利用するためである。
【００３０】
前記スリット部３の構成によれば、図７に図示したように、スリット縁部３２とスリット両端部３４、３５によって形成される仮想平面３６と、スリット縁部３３とスリット両端部３４、３５によって形成される仮想平面３７により、前記ライト部４が安定的に挟込まれるように配置される。
【００３１】
前記ライト部４の光源部４０は、薄板状、且つ、長尺状に形成された本体４１（図４参照）に配置されていて、前記光源部４０は、その本体４１に、発光ダイオード（ＬＥＤ）のベアチップを直接基板に実装した面発光体４２を収納することで構成されている。その結果、光源部４０の薄さと剛性を両立させたものとなっている。前記面発光体４２は、基板の配線パターンに、ＬＥＤのベアチップを接続し、そのベアチップの上からレンズ状のコーティング層を形成したものが使用されている。
【００３２】
図４に図示するように、本体４１の裏側には、前記光源部４０のオン、オフを制御するスイッチ４３が配置され、本体４１の端部にはパソコン等から電力を取込むことができるＵＳＢ端子４４（図１等参照）が配置されている。
なお、スイッチ４３周りの高幅は、各種部品を内蔵していることから、光源部４０及びスリット縁部３２、３３の高幅よりも厚く形成されている。
前記光源部４０に電力を供給する手段としては、ＡＣアダプターを用いてもよいし、本体４１に蓄電池等を配置するようにしてもよい。
【００３３】
以上のように構成される電気スタンド１の使用例について、説明する。
図１〜図４のように、前記ライト部４を縦置きにしてもよいし、図８に図示したように、スタンド部２の稜線２２に交差させるように前記ライト部４を横置きにしてもよい。
前記ライト部４は、スタンド部２に対してスライド自在であるから、縦置き及び横置きの場合に、照明環境に合わせて、ライト部４の位置を出入り方向、または左右方向に変化させることができる。
【００３４】
また前記スタンド部２に三角錐を構成する底面を配置してもよいし、また前記側面２０，２１の各底辺に、図８に図示するような開き止フック２３、２４を設け、それらのフック２３、２４を連結させ、前記２面２０、２１が形成する角度、即ち前記角度θを維持できるようにしてもよい。
なお、スタンド部２の角度θを維持した状態でライト部４をスリット部３へ差し込みことができるが、ライト部４を差し込んだ後に、フック２３、２４を連結することもできる。
さらに、連結した開き止フック２３、２４の上にウエイト５を載せて、前記スタンド２の自立の安定化を図るようにしてもよい。
【００３５】
この電気スタンド１を持ち運んだり、保管する場合には、図９のようにスタンド部２を折り畳んで、ライト部４、ＵＳＢ端子用の電源ケーブル６、ＡＣアダプター７、バッテリ８等で、キットにしてもよい。
【００３６】
以上のように構成される電気スタンド１の作用効果を纏めると次のようである。
１．  スタンド部２とライト部４とが分離可能であり、また前記スタンド部２は、三角錐の２面の側面２０，２１から構成されているので、その形状は、コンパクトであり、軽量化することが可能で、且つ、シンプルなもので、ポータブル性に優れた電気スタンドとなっている。
２．  ライト部４は、スタンド部２に対してスライド自在であるから、縦置き及び横置きが可能であり、照明環境に合わせて、ライト部４の位置を出入り方向、または左右方向に変化させることができる。
３．  この電気スタンド１を持ち運んだり、保管する場合には、スタンド部２を折り畳んで、ライト部４、ＵＳＢ端子用の電源ケーブル６、ＡＣアダプター７、バッテリ８等で、キットとして構成することができる。
４．  電気スタンドは通常、屋内で使用されるものであるが、屋外でも手軽に利用できる電気スタンドを提供することができる。
また、ライト部４に蓄電池等を配置して、非常時にライト部４のみを持ち出して非常用ライトとして使用することもできる。
５．  ライト部４の光源部４０は、基板にＬＥＤベアチップを実装した面発光体４２からなりライト部４を薄く構成することができ、かかるライト部４を配置するシンプルなスタンド部２と共に、光源に発光ダイオードを用いることによって得られる特性を生かした電気スタンドとなっている。
【００３７】
上記実施例のスタンド部２は、三角錐の２面から構成されているが、これに限定されることはなく、多角錐、円錐、多角柱或いは円柱でもよい。
即ち、スリット部３として、少なくとも一対の２辺（本実施例では、４辺）からなるスリット縁部３２、３３と、そのスリット縁部３２、３３の端部に形成されるスリット両端部３４，３５を備えることができるものであればよい。
【００３８】
本発明は以上説明した実施例に限定されるものではなく、多くの変形が本発明の技術的思想内で当分野において、通常の知識を有する者により可能である。
【符号の説明】
【００３９】
１  電気スタンド                        ２  スタンド部
３  スリット部                          ４  ライト部
２０，２１  側面                        ２２  稜線
２３、２４  開き止フック
３０、３１及び３０’、３１’  一対の２辺
３２、３３  スリット縁部                ３４、３５  スリット両端部
４０  光源部                            ４１  本体
４２  面発光体                          ４３  スイッチ
４４  ＵＳＢ端子
５  ウエイト
６  電源ケーブル
７  ＡＣアダプター
８  バッテリ
【図１】
2015103481.tif 000003
【図２】
2015103481.tif 000004
【図３】
2015103481.tif 000005
【図４】
2015103481.tif 000006
【図５】
2015103481.tif 000007
【図６】
2015103481.tif 000008
【図７】
2015103481.tif 000009
【図８】
2015103481.tif 000010
【図９】
2015103481.tif 000011